(57)【要約】【課題】ディジタル基板を共通化し、製造コストの削減を図った表示装置を提供する。【解決手段】ＬＣＤ２６の背面には、ディジタル基板Ａと、電源基板Ｂと、音声基板Ｃと、ドライバ基板Ｘと、が配置されている。ディジタル基板Ａは、電源基板Ｂと電源ケーブル３２を介して接続されている。また、ドライバ基板Ｘは、電源基板Ｂと電源ケーブル３３を介して接続されている。電源基板Ｂは、生成したＤＣ電源電圧をディジタル基板Ａを介さず直接ドライバ基板Ｘに供給する。また、ドライバ基板Ｘには、ガンマ補正を行うガンマ回路１３が形成されている。そのため、メーカの異なる液晶パネルを取り付ける際、又は異なる画面サイズの液晶パネルを取り付ける際は、ドライバ基板Ｘだけを入れ替えることで対応可能となる。即ち、専用のディジタル基板Ａを別途設計しなくとも済む。【選択図】  図４
2010261995.tif 000002
【特許請求の範囲】
【請求項１】
入力ソースから入力された映像信号に基づいて１画面分の画像データを生成し、その画像データに基づいて駆動信号を生成する映像信号処理回路が形成されたディジタル基板と、
前記ディジタル基板と信号ケーブルで接続され、前記ディジタル基板から前記信号ケーブルを介して入力された前記駆動信号に基づいてディスプレイの各画素を駆動し、前記画像データに基づく画像を前記ディスプレイに表示させるドライバ回路が形成されたドライバ基板と、
商用電源から電源電圧を取り出し、その電源電圧を前記ディジタル基板と前記ドライバ基板に供給する電源回路が形成された電源基板と、を備える表示装置において、
前記ディジタル基板は、前記電源基板と第一の電源ケーブルを介して接続され、
前記ドライバ基板は、前記電源基板と第二の電源ケーブルを介して接続され、
前記電源基板は、前記電源電圧を前記第一の電源ケーブルを介して前記ディジタル基板に供給し、前記電源電圧を前記第二の電源ケーブルを介して前記ドライバ基板に供給することを特徴とする表示装置。
【請求項２】
前記ドライバ基板には、前記ディジタル基板から前記信号ケーブルを介して入力された前記駆動信号に対してガンマ補正を行うガンマ回路が形成され、
前記ドライバ回路は、前記ガンマ補正が前記ガンマ回路で行われた後、前記駆動信号に基づいてディスプレイの各画素を駆動し、前記画像データに基づく画像を前記ディスプレイに表示させることを特徴とする請求項１に記載の表示装置。
【請求項３】
前記ディスプレイは、画素の配列により構成された液晶ディスプレイであり、
前記ドライバ回路は、前記液晶ディスプレイの各画素を前記駆動信号に基づいて駆動し、前記画像データに基づく画像を前記液晶ディスプレイの画面に表示させることを特徴とする請求項１又は２に記載の表示装置。
【発明の詳細な説明】
【技術分野】
【０００１】
本発明は、液晶テレビジョン、プラズマテレビジョン等のパネル型の表示装置に関するものである。
【背景技術】
【０００２】
近年、液晶テレビジョン、プラズマテレビジョン等のパネル型の表示装置が広く一般に普及している。以下、パネル型の表示装置を代表して液晶テレビジョンの基板配置について説明する。
【０００３】
図１は、従来の液晶テレビジョンの背面内部における基板配置図である。液晶ディスプレイ（ＬＣＤ）の背面には、ディジタル基板Ａと、電源基板Ｂと、音声基板Ｃと、ドライバ基板Ｘとが配置されている。
【０００４】
電源基板Ｂは、商用のＡＣ電源電圧をＤＣ電源電圧に変換し、そのＤＣ電源電圧に基づいて各種電圧を生成し、ディジタル基板Ａと音声基板Ｃ等の各回路に電源電圧を各電源ケーブルを介して供給する。ここで、ディジタル基板Ａは、電源基板Ｂと電源ケーブル３２を介して接続されている。また、ドライバ基板Ｘは、ディジタル基板Ａと電源ケーブル３９を介して接続されている。また、音声基板Ｃは電源基板Ｂと電源ケーブル３１を介して接続されている。ドライバ基板Ｘには、電源電圧が電源ケーブル３２とディジタル基板Ａと電源ケーブル３９とを経由して供給される。さらに、この電源電圧は、ドライバ基板Ｘを経由してＴＣＰ（テープキャリアパッケージ）群Ｙにも供給される。
【０００５】
ディジタル基板Ａは、アンテナを介して受信されるテレビ放送信号から、選択されているチャンネルのテレビ放送信号をチューナ１０で抽出する。さらに、ディジタル基板Ａは、テレビ放送信号から映像信号と音声信号の分離を映像信号処理回路で行い、分離された音声信号を信号ケーブル４１を介して音声基板Ｃに出力する。また、ディジタル基板Ａは、同映像信号処理回路において、分離された映像信号に基づいてＬＣＤの１画面分の画像データを生成し、その画像データに基づいてパネル駆動信号を生成する。ディジタル基板Ａは、生成したパネル駆動信号を信号ケーブル４２を介してドライバ基板Ｘに出力する。このパネル駆動信号は、ドライバ基板Ｘを経由してＴＣＰ群Ｙにも入力する。
【０００６】
ドライバ基板Ｘは、ドライバ回路の複数のソースドライバＩＣを搭載し、ドライバ回路の複数のゲートドライバＩＣを搭載したフレキシブルプリント基板Ｙと接続している。このドライバ回路は、ＬＣＤのソースバスラインを駆動する複数のソースドライバＩＣと、ＬＣＤのゲートバスラインを駆動する複数のゲートドライバＩＣとで構成される。ドライバ回路は、画素の配列により構成されたＬＣＤの各画素をパネル駆動信号に基づいて駆動し、ＬＣＤの画面に画像データに基づく映像を表示させる。
【０００７】
音声基板Ｃには、ディジタル基板Ａと信号ケーブル４１を介して接続されており、ディジタル基板Ａから音声信号が入力される。音声基板Ｃは、ディジタルの音声信号をアナログの音声信号にＤ／Ａ変換し、スピーカから音声出力させる。
【０００８】
ここで、液晶テレビジョン等の表示装置を製造するメーカには、液晶パネル（又はプラズマパネル）を他社から購入し、その液晶パネル（又はプラズマパネル）にドライバ回路や映像信号処理回路等の電子部品を自社で接続して装置化しているメーカがある。このようなメーカでは、コスト削減を図るために、液晶パネルの購入先をより安い価格で提供するメーカに切り替えることが多い。
なお、特許文献１では、液晶テレビ受像機が提案されている。
【先行技術文献】
【特許文献】
【０００９】
【特許文献１】特開２００６−１１３３０１公報
【発明の概要】
【発明が解決しようとする課題】
【００１０】
しかしながら、上記ドライバ回路は、パネルを製造するメーカ毎に、又はパネルの画面サイズ毎に、異なる回路構成となる。そのため、従来の表示装置では、パネルを製造するメーカ毎に、又はパネルの画面サイズ毎に、ドライバ回路を搭載したドライバ基板Ｘ及びＴＣＰ群Ｙに応じた専用のディジタル基板Ａを設計しなければならず、製造コスト高の一因となっていた。
【００１１】
本発明はこのような従来の課題を解決しようとするものであり、ディジタル基板を共通化し、製造コストの削減を図った表示装置を提供することを目的とする。
【課題を解決するための手段】
【００１２】
本発明の表示装置は、前記課題を解決するために以下の構成を備えている。
【００１３】
（１）入力ソースから入力された映像信号に基づいて１画面分の画像データを生成し、その画像データに基づいて駆動信号を生成する映像信号処理回路が形成されたディジタル基板と、
前記ディジタル基板と信号ケーブルで接続され、前記ディジタル基板から前記信号ケーブルを介して入力された前記駆動信号に基づいてディスプレイの各画素を駆動し、前記画像データに基づく画像を前記ディスプレイに表示させるドライバ回路が形成されたドライバ基板と、
商用電源から電源電圧を取り出し、その電源電圧を前記ディジタル基板と前記ドライバ基板に供給する電源回路が形成された電源基板と、を備える表示装置において、
前記ディジタル基板は、前記電源基板と第一の電源ケーブルを介して接続され、
前記ドライバ基板は、前記電源基板と第二の電源ケーブルを介して接続され、
前記電源基板は、前記電源電圧を前記第一の電源ケーブルを介して前記ディジタル基板に供給し、前記電源電圧を前記第二の電源ケーブルを介して前記ドライバ基板に供給することを特徴とする。
【００１４】
この構成において、上記ディスプレイは、例えば液晶ディスプレイ又はプラズマディスプレイである。
この構成では、電源基板で生成した電源電圧をディジタル基板を介さず直接ドライバ基板に供給している。そのため、メーカの異なるパネルを取り付ける際、又は異なる画面サイズのパネルを取り付ける際は、ドライバ基板だけを入れ替えることで対応可能となる。即ち、専用のディジタル基板を別途設計しなくとも済む。従って、本実施形態では、ディジタル基板を共通化でき、製造コストの削減を図ることができる。
【００１５】
（２）前記ドライバ基板には、前記ディジタル基板から前記信号ケーブルを介して入力された前記駆動信号に対してガンマ補正を行うガンマ回路が形成され、
前記ドライバ回路は、前記ガンマ補正が前記ガンマ回路で行われた後、前記駆動信号に基づいてディスプレイの各画素を駆動し、前記画像データに基づく画像を前記ディスプレイに表示させることを特徴とする。
【００１６】
入力される画像データの色データを、ディスプレイ上でどのような明るさで出力するかという相関関係であるガンマ特性は、パネルの特性によって変化する。即ち、ガンマ特性は、パネルを製造するメーカ毎に、又はパネルの画面サイズ毎に、異なる。そのため、ガンマ補正を行うガンマ回路がディジタル基板に形成されている従来の表示装置では、パネルを製造するメーカ毎に、又はパネルの画面サイズ毎に、専用のディジタル基板を設計しなければならなかった。
この構成においては、ガンマ補正を行うガンマ回路をドライバ基板に形成しているため、メーカの異なるパネルを取り付ける際、又は異なる画面サイズのパネルを取り付ける際は、ドライバ基板だけを入れ替えることで対応可能となる。即ち、専用のディジタル基板を別途設計しなくとも済む。従って、本実施形態では、ディジタル基板を共通化でき、製造コストの削減を図ることができる。
【００１７】
（３）前記ディスプレイは、画素の配列により構成された液晶ディスプレイであり、
前記ドライバ回路は、前記液晶ディスプレイの各画素を前記駆動信号に基づいて駆動し、前記画像データに基づく画像を前記液晶ディスプレイの画面に表示させることを特徴とする。
【発明の効果】
【００１８】
この発明によれば、ディジタル基板を共通化でき、製造コストの削減を図ることができる。
【図面の簡単な説明】
【００１９】
【図１】従来の液晶テレビジョンの背面内部における基板配置図
【図２】本発明の実施形態である液晶テレビジョンの主要な構成を示すブロック図
【図３】本発明の実施形態である液晶テレビジョンの背面斜視図
【図４】本発明の実施形態である液晶テレビジョンの背面内部における基板配置図
【図５】本発明の実施形態の変形例である液晶テレビジョンの背面内部における基板配置図
【発明を実施するための形態】
【００２０】
以下、本発明の実施形態である液晶テレビジョンについて説明する。
【００２１】
図２は、本発明の実施形態である液晶テレビジョンの主要な構成を示すブロック図である。液晶テレビジョン１００は、チューナ１０と、映像信号処理回路１２と、液晶ディスプレイ（ＬＣＤ）２６と、音声処理回路１６と、スピーカ１８と、電源回路２０と、整流回路２２と、インバータ回路２４と、を備える。
【００２２】
チューナ１０は、アンテナ１０ａを介して受信されるテレビ放送信号から、選択されているチャンネルのテレビ放送信号を抽出し、映像信号処理回路１２に出力する。受信するテレビ放送信号としてはアナログ放送であってディジタル放送であっても構わない。アナログのテレビ放送信号を受信すると、後述する映像信号処理回路１２にてＡ／Ｄ変換されてディジタル化される。
【００２３】
映像信号処理回路１２は、ディジタルで処理を行う１チップＩＣである。映像信号処理回路１２は、Ａ／Ｄ変換部と、ビデオデコーダ（Ｖ／Ｄ）と、スケーラと、タイミングコントローラ（Ｔcont）とを備える。また、映像信号処理回路１２は、アナログのコンポジット信号が入力されるコンポジット端子や、ディジタルの映像音声信号が入出力可能なＨＤＭＩ（登録商標）端子１２ａを有する。
【００２４】
Ａ／Ｄ変換部は、アナログのテレビ放送信号をチューナ１０で受信すると、入力されるアナログ映像音声信号をディジタル映像音声信号に変換する。Ｖ／Ｄは、チューナ１０から直接またはＡ／Ｄ変換部を介して入力されるディジタル映像音声信号（テレビ放送信号）から映像信号と音声信号の分離を行い、分離された音声信号を音声処理回路１６に出力するとともに、分離された映像信号からＲ，Ｇ，Ｂの３原色信号を復調する。また、Ｖ／Ｄは、ＲＧＢの映像信号に、色の濃さ調整、コントラスト調整、ＴＩＮＴ調整、ブライト調整、肌色補正等の色彩調整、白黒伸長調整、遅延調整、シャープネス調整、ノイズ除去、等の画質調整処理を行い、スケーラに出力する。スケーラは、連続するインターレース形式の映像信号をプログレッシブ形式の映像信号に変換し、入力されたディジタル映像信号を、ＬＣＤ２６が有する画面の画素数（横縦比、ｍ：ｎ）に合致するようにスケーリング処理を行い、ＬＣＤ２６に表示する１画面分の画像データを生成して、生成した画像データをＴcontに出力する。Ｔcontは、入力された画像データに基づいてパネル駆動信号を生成し、パネル駆動信号をガンマ回路１３に出力する。
【００２５】
ガンマ回路１３は、入力したパネル駆動信号に対してガンマ補正を行い、ドライバ回路１４に出力する。
【００２６】
ドライバ回路１４は、ＬＣＤ２６のソースバスラインを駆動する複数のソースドライバＩＣと、ＬＣＤ２６のゲートバスラインを駆動する複数のゲートドライバＩＣとで構成される。ＬＣＤ２６は、液晶パネルとバックライトとを含むＬＣＤモジュールである。ドライバ回路１４は、画素の配列により構成されたＬＣＤ２６の各画素をパネル駆動信号に基づいて駆動し、ＬＣＤ２６の画面に画像データに基づく映像を表示させる。
【００２７】
音声処理回路１６は、ディジタル音声信号が入力されると、ディジタル音声信号をアナログ音声信号にＤ／Ａ変換する。さらに、音声処理回路１６は、同アナログ音声信号を内蔵のアンプにおいて増幅した後、スピーカ１８に出力して音声出力させる。
【００２８】
整流回路２２は、商用電源からＡＣ電源ケーブル２２ａを介してＡＣ電源電圧を入力して、このＡＣ電源電圧をＤＣ電源電圧に変換してインバータ回路２４および電源回路２０に供給する。電源回路２０は、整流回路２２から供給されたＤＣ電源電圧に基づいて各種電圧を生成し、インバータ回路２４を除く各回路へ供給する。
【００２９】
インバータ回路２４は、整流回路２２から供給されたＤＣ電源電圧を高周波の交流電圧に変換し、不図示のインバータハーネスを介して駆動信号としての交流電圧をＬＣＤ２６のバックライトに供給し、バックライトを点灯させる。
【００３０】
図３、図４を参照して液晶テレビジョン１００の基板配置について説明する。図３は、液晶テレビジョン１００の背面斜視図であり、図４は、液晶テレビジョン１００のＬＣＤ２６の背面における基板配置図である。
【００３１】
図４に示すＬＣＤ２６の背面は、液晶テレビジョン１００のケーシングの一部を構成する背板で覆われている（図３参照）。その背板を外したＬＣＤ２６の背面には、図４に示すように、ディジタル基板Ａと、電源基板Ｂと、音声基板Ｃと、ドライバ基板Ｘと、ＴＣＰ群Ｙと、が配置されている。以下、各基板の位置関係と、各基板に搭載される回路について説明する。
なお、ドライバ基板ＸとＴＣＰ群Ｙとは、本願発明の「ドライバ基板」に相当する。このＴＣＰはＴＯＰ（チップオンフィルム）とも呼ばれる。
【００３２】
電源基板Ｂには、インバータ回路２４と整流回路２２と電源回路２０とが搭載され、ＬＣＤ２６背面の左方に上下に長く配向して配置されている。電源基板Ｂは、商用のＡＣ電源電圧をＤＣ電源電圧に変換し、そのＤＣ電源電圧に基づいて各種電圧を生成し、音声基板Ｃとディジタル基板Ａとドライバ基板Ｘ等の各回路に電源電圧を各電源ケーブルを介して供給する。ここで、ディジタル基板Ａは、電源基板Ｂと電源ケーブル３２を介して接続されている。また、ドライバ基板Ｘは、電源基板Ｂと電源ケーブル３３を介して接続されている。また、音声基板Ｃは電源基板Ｂと電源ケーブル３１を介して接続されている。
【００３３】
ディジタル基板Ａは、ＬＣＤ２６背面において上方中央に配置されている。ディジタル基板Ａには、映像信号処理回路１２が搭載されており、ＨＤＭＩ端子１２ａと、コンポジット端子と、チューナ１０とが配置される。ディジタル基板Ａは、アンテナ１０ａを介して受信されるテレビ放送信号から、選択されているチャンネルのテレビ放送信号をチューナ１０で抽出する。さらに、ディジタル基板Ａは、テレビ放送信号から映像信号と音声信号の分離を映像信号処理回路１２で行い、分離された音声信号を信号ケーブル４１を介して音声基板Ｃに出力する。また、ディジタル基板Ａは、分離された映像信号に基づいてＬＣＤ２６の１画面分の画像データを生成し、その画像データに基づいてパネル駆動信号を生成する。ディジタル基板Ａは、信号ケーブル４２を介してドライバ基板Ｘと接続されており、生成したパネル駆動信号を信号ケーブル４２を介してドライバ基板Ｘに出力する。
【００３４】
ドライバ基板Ｘは、ＬＣＤ２６の背面上面に配置されており、ガンマ回路１３と、ドライバ回路１４とを搭載している。ドライバ基板Ｘは、ドライバ回路１４の複数のソースドライバＩＣを搭載し、ドライバ回路１４の複数のゲートドライバＩＣを実装したＴＣＰ群Ｙと接続している。ＴＣＰ群Ｙのそれぞれには、１つのゲートドライバＩＣが実装されている。ドライバ基板Ｘ及びＴＣＰ群Ｙに形成されたドライバ回路１４は、ＬＣＤ２６の各画素をパネル駆動信号に基づいて駆動する。これにより、ＬＣＤ２６の画面には、画像データに基づく映像が表示される。
【００３５】
音声基板Ｃには、音声処理回路１６が搭載され、ディジタル基板Ａに隣接した下側、即ちＬＣＤ６背面において中央下方に配置される。この音声基板Ｃはディジタル基板Ａと信号ケーブル４１を介して接続されており、ディジタル基板Ａから音声信号が入力される。音声基板Ｃは、ディジタルの音声信号をアナログの音声信号にＤ／Ａ変換し、スピーカ１８から音声出力させる。
【００３６】
上記ドライバ回路１４は、液晶パネルを製造するメーカ毎に、液晶パネルの画面サイズ毎に、異なる回路構成となる。本実施形態では、電源基板Ｂで生成したＤＣ電源電圧をディジタル基板Ａを介さず直接ドライバ基板Ｘの複数のソースドライバＩＣに供給している。さらに、このＤＣ電源電圧は、ドライバ基板Ｘを介してＴＣＰ群Ｙの複数のゲートドライバＩＣに供給される。また、ガンマ補正を行うガンマ回路１３をドライバ基板Ｘに形成している。そのため、メーカの異なる液晶パネルを取り付ける際、又は異なる画面サイズの液晶パネルを取り付ける際は、ドライバ基板ＸとＴＣＰ群Ｙだけを入れ替えることで対応可能となる。即ち、専用のディジタル基板Ａを別途設計しなくとも済む。従って、本実施形態では、ディジタル基板Ａを共通化でき、製造コストの削減を図ることができる。
【００３７】
また、本発明の実施形態は、以下の変形例を採用することができる。
【００３８】
図５は、本発明の実施形態の変形例である液晶テレビジョンの背面内部における基板配置図である。図５に示す基板配置が図４に示す基板配置と異なる点は、ドライバ基板ＸＲとドライバ基板ＸＬである。液晶パネルの画面サイズが５０インチ以上等の大きいサイズである場合、ＬＣＤ２６のソースバスラインを、複数のドライバ基板ＸＲとドライバ基板ＸＬで分担して駆動することがある。
【００３９】
この変形例においてドライバ基板ＸＲとドライバ基板ＸＬとは、ケーブル４３で接続されている。ガンマ回路１３は、ドライバ基板ＸＬに形成されている。また、ドライバ基板ＸＲとドライバ基板ＸＬとＴＣＰ群Ｙとは、ドライバ回路１４を搭載している。詳述すると、ドライバ基板ＸＲとドライバ基板ＸＬは、ドライバ回路１４の複数のソースドライバＩＣを搭載し、ドライバ回路１４の複数のゲートドライバを搭載したＩＣＴＣＰ群Ｙと接続している。
なお、実施の際、ガンマ回路１３はドライバ基板ＸＲに形成しても構わない。
【００４０】
そして、電源基板Ｂで生成されるＤＣ電源電圧は、電源ケーブル３３を介してドライバ基板ＸＲに供給され、ケーブル４３を介してドライバ基板ＸＬに供給される。さらに、このＤＣ電源電圧は、ドライバ基板ＸＬを介してＴＣＰ群Ｙに供給される。また、ディジタル基板Ａで生成されるパネル駆動信号は、信号ケーブル４２を介してドライバ基板ＸＬに入力し、ケーブル４３を介してドライバ基板ＸＲに入力する。さらに、パネル駆動信号は、ドライバ基板ＸＬを介してＴＣＰ群Ｙに入力する。ドライバ基板ＸＲ及びドライバ基板ＸＬとＴＣＰ群Ｙとは、ＬＣＤ２６の各画素をパネル駆動信号に基づいて駆動する。
【００４１】
この変形例においても、電源基板Ｂで生成したＤＣ電源電圧をディジタル基板Ａを介さず直接ドライバ基板ＸＲとドライバ基板ＸＬに供給している。さらに、このＤＣ電源電圧は、ドライバ基板ＸＬを介してＴＣＰ群Ｙに供給される。また、ガンマ補正を行うガンマ回路１３をドライバ基板ＸＬに形成している。そのため、メーカの異なる液晶パネルを取り付ける際、又は異なる画面サイズの液晶パネルを取り付ける際は、ドライバ基板ＸＲ及びドライバ基板ＸＬとＴＣＰ群Ｙだけを入れ替えることで対応可能となる。即ち、専用のディジタル基板Ａを別途設計しなくとも済む。従って、本実施形態では、ディジタル基板Ａを共通化でき、製造コストの削減を図ることができる。
【符号の説明】
【００４２】
１００…液晶テレビジョン
１０…チューナ
１０ａ…アンテナ
１２…映像信号処理回路
１２ａ…ＨＤＭＩ端子
１３…ガンマ回路
１４…ドライバ回路
１６…音声処理回路
１８…スピーカ
２０…電源回路
２２…整流回路
２２ａ…ＡＣ電源ケーブル
２４…インバータ回路
２６…ＬＣＤ
３１…電源ケーブル
３２…電源ケーブル
３３…電源ケーブル
３９…電源ケーブル
４１…信号ケーブル
４２…信号ケーブル
４３…ケーブル
Ａ…ディジタル基板
Ｂ…電源基板
Ｃ…音声基板
Ｘ…ドライバ基板
ＸＬ…ドライバ基板
ＸＲ…ドライバ基板
【図１】
2010261995.tif 000003
【図２】
2010261995.tif 000004
【図３】
2010261995.tif 000005
【図４】
2010261995.tif 000006
【図５】
2010261995.tif 000007